(57)【要約】【課題】感光体上を走査するレーザ光のリニアリティを精度良く調整できる画像形成装置の走査光学装置を提供する。【解決手段】第２レンズ３４を介して感光体にレーザ光を走査し、静電潜像を形成するように構成された複写機のレーザスキャニングユニットであって、第２レンズ３４に入射するレーザ光の光軸に対する角度を調節可能な回転軸部１０１を有すると共に、上記光軸方向と略直交する副走査方向の第２レンズ３４の変形を、押圧することにより調節可能な螺子部材１１０が接続されるステー１００を備え、ステー１００に第２レンズ３４が設けられるという構成を採用する。【選択図】図７
2009300774.tif 000002
【特許請求の範囲】
【請求項１】
所定の光学レンズを介して感光体にレーザ光を走査し、静電潜像を形成するように構成された画像形成装置の走査光学装置であって、
前記光学レンズに入射する前記レーザ光の光軸に対する角度を調節可能な回転軸部を有すると共に、前記光軸方向と略直交する直交方向の前記光学レンズの変形を押圧することにより調節可能な押圧装置が接続されるステーを備え、
前記ステーに前記光学レンズが設けられることを特徴とする画像形成装置の走査光学装置。
【請求項２】
前記ステーは、前記直交方向を含む前記光学レンズの縁部を囲うように設けられており、
前記押圧装置は、前記ステーを前記直交方向に押圧することにより、前記光学レンズの前記直交方向の変形を調節することを特徴とする請求項１に記載の画像形成装置の走査光学装置。
【請求項３】
前記ステーは、筐体の内部に収容されており、
前記押圧装置は、前記筐体に螺合すると共に、一端側が前記筐体の外部に突出し、他端側が前記筐体の内部の前記ステーを押圧する位置に位置する螺子部材を有することを特徴とする請求項２に記載の画像形成装置の走査光学装置。
【請求項４】
前記ステーと前記光学レンズとの間に、前記押圧装置の押圧方向と逆方向に前記光学レンズを付勢する付勢装置が設けられていることを特徴とする請求項１〜３のいずれか一項に記載の画像形成装置の走査光学装置。
【発明の詳細な説明】
【技術分野】
【０００１】
本発明は、複写機、プリンタ、またはファクシミリ装置等の画像形成装置の走査光学装置に関するものである。
【背景技術】
【０００２】
従来から、レーザ光を走査しながら露光することによって感光体に静電潜像を形成し、当該静電潜像を形成された感光体に現像される画像を転写することによって、印刷媒体に画像を形成する画像形成装置が用いられている。
このような画像形成装置では、反射ミラーや光学レンズ等によって構成される光学系が設置された走査光学装置を用いて感光体にレーザ光を導光している。
【０００３】
走査光学装置は、画像形成の要であり、その取り付け構造や光学系の誤差等により、感光体上におけるレーザ光の走査線に歪みや曲がり等が生じて走査線の直線性（以下、リニアリティと称する）に影響を与えることがある。
このような問題を解決する手段として、特許文献１には、回折光学素子を変位及至回転させることによって走査線の傾き曲がり等を調整する機構を有する走査光学装置が開示されている。
【特許文献１】特開２００３−２８７７００号公報
【発明の開示】
【発明が解決しようとする課題】
【０００４】
ところで、画像形成装置において、例えば、カラータンデム機においては、感光体が複数設けられて互い独立しているため色重ねズレが発生する場合がある。この色重ねズレの一因として各感光体に走査されるレーザ光の走査線のズレが挙げられ、例えば、各走査線が上記誤差に起因し、４色とも異なるリニアリティを有することで、各感光体に担持された画像を重ね合わせたときに色ズレとしてユーザーに認識される画像欠損を引き起こす場合がある。
しかしながら、上記手段では走査線の湾曲量を調整できるものの、該問題を解決するため各走査線を精度良く、例えば数十マイクロメートル（μｍ）レベルの許容値の範囲内で合わせ込むという機能には不満がある。
【０００５】
本発明は、上記問題点に鑑みてなされたものであり、感光体上を走査するレーザ光のリニアリティを精度良く調整できる画像形成装置の走査光学装置を提供することを目的とする。
【課題を解決するための手段】
【０００６】
上記の課題を解決するために、本発明は、所定の光学レンズを介して感光体にレーザ光を走査し、静電潜像を形成するように構成された画像形成装置の走査光学装置であって、上記光学レンズに入射する上記レーザ光の光軸に対する角度を調節可能な回転軸部を有すると共に、上記光軸方向と略直交する直交方向の上記光学レンズの変形を押圧することにより調節可能な押圧装置が接続されるステーを備え、上記ステーに上記光学レンズが設けられるという構成を採用する。
このような構成を採用することによって、本発明では、光学レンズを回転させることによってレーザ光の光軸に対する角度を調整して走査線のリニアリティを調整し、さらに、光学レンズを光軸の直交方向から押圧することによって光学レンズの光学特性を微調整して走査線のリニアリティ精度を向上させることが可能となる。
【０００７】
また、本発明においては、上記ステーは、上記直交方向を含む上記光学レンズの縁部を囲うように設けられており、上記押圧装置は、上記ステーを上記直交方向に押圧することにより、上記光学レンズの上記直交方向の変形を調節するという構成を採用する。
このような構成を採用することによって、本発明では、ステーが光学レンズの縁部を囲うよう設けられているため直交方向中央部が撓み易くなり、ステーを押圧することにより、ステーと共に光学レンズを変形させることが可能となる。
【０００８】
また、本発明においては、上記ステーは、筐体の内部に収容されており、上記押圧装置は、上記筐体に螺合すると共に、一端側が上記筐体の外部に突出し、他端側が上記筐体の内部の上記ステーを押圧する位置に位置する螺子部材を有するという構成を採用する。
このような構成を採用することによって、本発明では、筐体の内部にステーが収容された場合に、一端側が筐体の外部に突出する螺子部材の筐体に対する螺入量の調整により、筐体の外部からステーと共に光学レンズを変形させることが可能となる。
【０００９】
また、本発明においては、上記ステーと上記光学レンズとの間に、上記押圧装置の押圧方向と逆方向に上記光学レンズを付勢する付勢装置が設けられているという構成を採用する。
このような構成を採用することによって、本発明では、光学レンズに対して押圧方向と逆方向に付勢力が加わり、直交方向両側から光学レンズの変形を調整することができる。
【発明の効果】
【００１０】
本発明によれば、所定の光学レンズを介して感光体にレーザ光を走査し、静電潜像を形成するように構成された画像形成装置の走査光学装置であって、上記光学レンズに入射する上記レーザ光の光軸に対する角度を調節可能な回転軸部を有すると共に、上記光軸方向と略直交する直交方向の上記光学レンズの変形を押圧することにより調節可能な押圧装置が接続されるステーを備え、上記ステーに上記光学レンズが設けられるという構成を採用することによって、光学レンズを回転させることによってレーザ光の光軸に対する角度を調整して走査線のリニアリティを調整し、さらに、光学レンズを光軸の直交方向から押圧することによって光学レンズの光学特性を微調整して走査線のリニアリティ精度を向上させることが可能となる。
したがって、本発明では、光学レンズに対し回転及び押圧による走査線の調整手段を具備するステーを用いることで、感光体上を走査するレーザ光のリニアリティを精度良く調整できる画像形成装置の走査光学装置が得られる効果がある。
【発明を実施するための最良の形態】
【００１１】
次に、本発明の実施形態を図面に基づいて説明する。なお、以下に説明においては、本発明を複写機（画像形成装置）に適応した場合の例について説明する。また、以下の図面において、各部材を認識可能な大きさとするために、各部材の縮尺を適宜変更している。
【００１２】
（第１実施形態）
先ず、図１及び図２を参照して、第１実施形態における複写機Ｐの構成について説明する。
図１は、本発明の第１実施形態における複写機Ｐの構成を示す概略図である。
図２は、本発明の第１実施形態における画像形成部２の構成を示す概略図である。
複写機Ｐは、図１に示すように、スキャナ等を有し原稿から画像を読み取る画像読取部１と、記憶媒体に画像を形成する画像形成部２と、記憶媒体を収容する給紙カセット３ａと、記憶媒体を給紙する給紙トレイ３ｂと、画像形成部２にて形成された画像を記憶媒体に転写する二次転写部４と、転写された画像を記憶媒体上に定着させる定着部５と、定着が完了し排出された記憶媒体を受ける排紙トレイ６と、給紙カセット３ａあるいは給紙トレイ３ｂから排紙トレイ６まで記憶媒体を搬送する搬送路７とを有する。
【００１３】
画像形成部２は、図２に示すように、ベルトユニット２０と、イエロー（Ｙ）、マゼンダ（Ｍ）、シアン（Ｃ）、ブラック（ＢＫ）の各色にそれぞれ対応した画像形成ユニットＦ（ＦＹ、ＦＭ、ＦＣ、ＦＫ）と、不図示のクリーニング部とを有する。
ベルトユニット２０は、画像形成ユニットＦから画像を転写される中間転写ベルト２１と、中間転写ベルト２１を架設すると共に無端回走させる駆動ローラ２２、従動ローラ２３及びテンションローラ２４とを有する。
【００１４】
中間転写ベルト２１は、駆動ローラ２２、従動ローラ２３及びテンションローラ２４に張架される構成となっている。
駆動ローラ２２は、モータ等の駆動源を有する駆動部に接続され、中間転写ベルト２１に対しグリップ力を付与しつつ回走させるものである。
従動ローラ２３は、駆動ローラ２２の回転駆動に従動して回転駆動するものである。
テンションローラ２４は、駆動ローラ２２の回転駆動に従動して回転駆動する従動ローラの一種であり、バネ機構を有して中間転写ベルト２１にテンションを与えるものである。
不図示のクリーニング部は、クリーニングローラやクリーニングブレード等を備え中間転写ベルト２１に残留したトナー等を除去する構成となっている。
【００１５】
画像形成ユニットＦは、感光体１０と、帯電器１１と、レーザスキャニングユニット（走査光学装置）３０と、現像装置１３と、一次転写ローラ１４と、クリーニング装置１５及び不図示の除電装置等とを有する。
感光体１０は、円柱に形状設定され、その周面に静電潜像及び当該静電潜像に基づくトナー像が形成されるものである。帯電器１１は、感光体１０に対して対向配置され、感光体１０の周面を帯電状態とするものである。レーザスキャニングユニット３０は、印刷形式の画像データに基づいて射出されるレーザ光を帯電状態の感光体１０の周面において走査するものである。現像装置１３は、感光体１０の周面に対してトナーを供給することによって感光体１０の周面上に静電潜像に基づく画像を現像するものである。一次転写ローラ１４は、中間転写ベルト２１を挟んで感光体１０と対向配置され、感光体１０に現像された画像を中間転写ベルト２１に一次転写するものである。クリーニング装置１５は、一次転写の後に感光体１０上に残留したトナーを除去するものである。
【００１６】
図１に戻り、給紙カセット３ａは、装置本体に対して引き出し自在であり、記憶媒体を収容するものである。給紙トレイ３ｂは、装置本体に対して開閉自在であり、記憶媒体を収容するものである。
二次転写部４は、中間転写ベルト２１上に形成された画像を記憶媒体に二次転写するものであって、中間転写ベルト２１を駆動させる駆動ローラ２２と、中間転写ベルト２１を挟んで該駆動ローラ２２と対向配置される二次転写ローラ４ａとを備える。
定着部５は、記憶媒体上に二次転写された画像を定着させるものであり、加圧・加熱することによりトナーを定着させる加熱ローラを備える。
搬送路７は、給紙カセット３ａから記憶媒体を搬出するピックアップローラ７１、記憶媒体を搬送する給紙ローラ７２、排紙トレイ６に記憶媒体を排紙する排紙ローラ７３等を備える。
【００１７】
続いて、レーザスキャニングユニット３０の構成について、図３〜図５を参照して詳しく説明する。なお、レーザスキャニングユニット３０Ｙ、３０Ｍ、３０Ｃ、３０Ｋの構成は略同一であるため当該構成を一つの説明にて行う。
図３は、本発明の第１実施形態におけるレーザスキャニングユニット３０Ｙ、３０Ｍ、３０Ｃ、３０Ｋの斜視図である。
図４は、本発明の第１実施形態におけるレーザスキャニングユニット３０の斜視図である。
図５は、図４におけるレーザスキャニングユニット３０の線視Ｘ−Ｘ斜視断面図である。
【００１８】
図３に示すように、レーザスキャニングユニット３０は、並列に配置されており、その端部にはレーザスキャニングユニット３０を感光体１０に対して相対移動させることにより感光体１０上におけるレーザ光の走査線の傾きを調整する調整装置８０が設けられる。
また、レーザスキャニングユニット３０は、図４及び図５に示すように、レーザ光源装置３１と、ポリゴンミラー３２と、第１レンズ３３と、第２レンズ（所定の光学素子）３４と、第１反射ミラー３６、第２反射ミラー３７、第３反射ミラー３８とを備えている。
本実施形態におけるレーザスキャニングユニット３０の筐体３９は、上部筐体３９Ａ及び下部筐体３９Ｂの２段で構成される。上部筐体３９Ａには、レーザ光源装置３１、ポリゴンミラー３２、第１レンズ３３及び第１反射ミラー３６が設けられ、一方、下部筐体３９Ｂには、第２反射ミラー３７、第２レンズ３４及び第３反射ミラー３８が設けられる構成となっている（図２及び図５参照）。
【００１９】
レーザ光源装置３１は、印刷形式の画像データに基づいてレーザ光を射出するものであり、ポリゴンミラー３２の周面に向けて略水平方向にレーザ光を射出する。
ポリゴンミラー３２は、平面視が多角形形状で周面が反射面とされたミラーであり、ポリゴンミラー３２の下方に配置された回転駆動部３２ａ（図２参照）によって水平面に対し垂直方向に延びる回転軸を中心として回転駆動される。
第１レンズ３３は、ｆθレンズから構成され、ポリゴンミラー３２により走査されるレーザ光の走査速度を一定とするものである。
第２レンズ３４は、シリンドリカル形状を有する矩形状のレンズから構成され、第１レンズ３３を透過したレーザ光を集光すると共に、感光体１０上の走査線のリニアリティを調整するものである。
第１〜第３反射ミラー３６〜３８は、レーザ光を反射する矩形状の反射面を有する板材である。
【００２０】
このような構成を有するレーザスキャニングユニット３０において、レーザ光は、レーザ光源装置３１から射出され、ポリゴンミラー３２の周面において反射され、第１レンズ３３を透過し、第１反射ミラー３６及び第２反射ミラー３７によって反射され、第２レンズ３４を透過し、さらに第３反射ミラー３８によって反射されることによって感光体１０に導光される。
【００２１】
続いて、このように第２レンズ３４を介して導光されるレーザ光の感光体１０上のリニアリティを調整する構造について図６及び図７を参照して説明する。
図６は、本発明の第１実施形態におけるレーザスキャニングユニット３０の断面図である。
図７は、本発明の第１実施形態における第２レンズ３４が設けられるステー１００を示す斜視図である。
【００２２】
図７に示すように、感光体１０上の走査線のリニアリティを調整する第２レンズ３４は、略長方形状を有してヤング率が低く撓み易い樹脂材で形成され、ステー１００に設けられている。
ステー１００は、第２レンズ３４の形状に応じて、第２レンズ３４の縁部を囲うように設けられ、第２レンズ３４のレーザ光が透過する面に対応する面が開口された矩形の箱形状を有している（図５及び図７参照）。このようなステー１００は、第２レンズ３４よりもヤング率の高い部材、例えばアルミ材によって構成される。
【００２３】
ステー１００の長さ方向両端部には、それぞれ回転軸部１０１が設けられており、各回転軸部１０１は下部筐体３９Ｂに設けられた不図示のホルダに接続される構成となっている。また、回転軸部１０１の回転軸は、ステー１００に設けられた第２レンズ３４の中心を通るように設計されている。これにより、ステー１００が回転軸部１０１を通る軸線周りに回転することで、ステー１００に設けられた第２レンズ３４のレーザ光の光軸に対する角度を調節することが可能となる。
【００２４】
また、ステー１００には、第２レンズ３４に入射するレーザ光の光軸方向と略直交する方向（より詳しくは、第２レンズ３４に入射するレーザ光の光軸方向及び第２レンズ３４に入射するレーザ光の走査方向と略直交する方向、以下、副走査方向と称する）から、第２レンズ３４を押圧するための螺子部材（押圧装置）１１０が接続される構成となっている。
螺子部材１１０は、ビスやイモネジ等の螺子であり、図６に示すように、筐体３９に螺合すると共に、一端側１１０Ａが上部筐体３９Ａに位置し、他端側１１０Ｂが下部筐体３９Ｂに位置する。また他端側１１０Ｂは、ステー１００を副走査方向から押圧する位置にあり、当該位置にてステー１００と当接される。
このような螺子部材１１０は、筐体３９に対して螺入／螺入解除して螺入量を調節することによりステー１００を押圧し、ステー１００と共に第２レンズ３４を副走査方向において撓ませる構成となっている。
【００２５】
続いて、上記ステー１００に設けられた第２レンズにおけるレーザ光のリニアリティの調整について説明する。
先ず、ユーザーは、図６に示すように、ステー１００を、回転軸部１０１を通る回転軸周りに回転させる。ステー１００が、回転軸部１０１の回転軸周りに回転することで、レーザ光の光軸に対する第２レンズ３４の角度が変更される。
なお、第２レンズ３４は樹脂材で形成されてヤング率が低く、当該回転に伴って回転軸方向における捩れが発生しやすいが、本実施形態のようにヤング率の高いステー１００によって保持されることにより、当該捩れに伴う第２レンズ３４の光学特性の変化を抑制することができる。
【００２６】
第２レンズ３４の角度が変更され、レーザ光の屈折角が変更されと、感光体１０上の走査線が、例えば、ボウ型やＷ型等に変化する。ユーザーは、このように変化する走査線を感光体１０上で一直線となるように、ステー１００を回転させて感光体１０上のリニアリティを調整する。
そして、ユーザーは、ステー１００を走査線のリニアリティを最適な状態とする角度に調整した後、ステー１００の回転軸部１０１を不図示のホルダにより、当該最適な角度で固定する。
【００２７】
上記のようにステー１００を固定した後、ユーザーは、螺子部材１１０を筐体３９に対して螺入／螺入解除することによりステー１００を押圧する。ステー１００を押圧することにより、ステー１００と共に第２レンズ３４の副走査方向の湾曲程度を調整する。ここで、ステー１００は、開口部が形成されるため副走査方向の押圧により容易に変形し、さらに、第２レンズ３４は、樹脂部材で形成されるために、ステー１００と共に副走査方向に撓むこととなる。このように、第２レンズ３４が変形することにより第２レンズ３４の光学特性が変化し、走査線のリニアリティを微調整することができる。
【００２８】
また、上記の調整工程を、レーザスキャニングユニット３０Ｙ、３０Ｍ、３０Ｃ、３０Ｋも同様に調整し、各走査線のズレを、上記機構により適宜合わせ込むことによって、走査線を精度良く、例えば数十マイクロメートル（μｍ）レベルの許容値の範囲内で合わせ込むことができる。
【００２９】
したがって、上述した第１実施形態によれば、第２レンズ３４を介して感光体１０にレーザ光を走査し、静電潜像を形成するように構成された複写機Ｐのレーザスキャニングユニット３０であって、第２レンズ３４に入射するレーザ光の光軸に対する角度を調節可能な回転軸部１０１を有すると共に、上記光軸方向と略直交する副走査方向の第２レンズ３４の変形を、押圧することにより調節可能な螺子部材１１０が接続されるステー１００を備え、ステー１００に第２レンズ３４が設けられるという構成を採用することによって、第２レンズ３４を回転させることによってレーザ光の光軸に対する角度を調整して走査線のリニアリティを調整し、さらに、第２レンズ３４を副走査方向から押圧することによって第２レンズ３４の光学特性を微調整して走査線のリニアリティ精度を向上させることが可能となる。
したがって、第１実施形態では、第２レンズ３４に対し回転及び押圧による走査線の調整手段を具備するステー１００を用いることで、感光体上を走査するレーザ光のリニアリティを精度良く調整できる複写機Ｐのレーザスキャニングユニット３０が得られる効果がある。
【００３０】
また、第１実施形態においては、ステー１００は、上記副走査方向を含む第２レンズ３４の縁部を囲うように設けられており、螺子部材１１０は、ステー１００を上記副走査方向に押圧することにより、第２レンズ３４の上記副走査方向の変形を調節するという構成を採用することによって、ステー１００が第２レンズ３４の縁部を囲うよう設けられているため副走査方向中央部が撓み易くなり、ステー１００を押圧することにより、ステー１００と共に第２レンズ３４を変形させることが可能となる。
【００３１】
また、第１実施形態においては、ステー１００は、筐体３９の下部筐体３９Ｂの内部に収容されており、螺子部材１１０は、筐体３９に螺合すると共に、一端側１１０Ａが下部筐体３９Ｂの外部に突出し、他端側１１０Ｂが下部筐体３９Ｂの内部のステー１００を押圧する位置に位置するという構成を採用することによって、下部筐体３９Ｂの内部にステー１００が収容された場合に、一端側１１０Ａを操作して螺子部材１１０の下部筐体３９Ｂに対する螺入量の調整により、下部筐体３９Ｂの外部からステー１００と共に第２レンズ３４を変形させることが可能となる。したがって、第１実施形態に示すように、筐体３９が２段構造を有していた場合に有効である。
【００３２】
（第２実施形態）
続いて、本発明の第２実施形態について説明する。なお、第１実施形態と構成を同じくする部分の説明は割愛する。
第１実施形態では、下部筐体３９Ｂの外部からユーザーが螺子部材１１０を介してステー１００と共に第２レンズ３４を押圧する構成について説明したが、第２実施形態では、ユーザーがステー１００に直接アクセスして第２レンズ３４のみを押圧する構成について説明する。
図８は、本発明の第２実施形態におけるステー１００の構成を説明する図である。
【００３３】
ステー１００には、副走査方向において螺子部材１１０が挿通可能な雌螺子孔が設けられており、螺子部材１１０は、該雌螺子孔と螺合する構成となっている。したがって、螺子部材１１０の他端側１１０Ｂが第２レンズ３４と当接し、ねじ部材１１０の一端側１１０Ａがステー１００から突出する構成となっている。
さらに、ステー１００と第２レンズ３４との間には、螺子部材１１０の押圧方向と逆方向に付勢する板バネ（付勢装置）１２０が設けられる。板バネ１２０は、予め、第２レンズ３４を押圧方向と逆方向にソリを与えるように配置されている（図８（ａ）参照）。
【００３４】
このような構成のステー１００においては、螺子部材１１０の螺入／螺入解除により第２レンズの変形を、図８（ａ）〜図８（ｃ）に示すように調整する。例えば、図８（ａ）に示すように、板バネ１２０の付勢力により、押圧方向と逆方向に第２レンズ３４にソリを与えるよう変形させて調整する。また、図８（ｂ）に示すように、板バネ１２０の付勢力に抗して螺子部材１１０を螺入することで、第２レンズ３４を直線状に変形させて調整する。あるいは、図８（ｃ）に示すように、板バネ１２０の付勢力に抗してさらに螺子部材１１０を螺入することで、押圧方向に第２レンズ３４にソリを与えるよう変形させて調整することが可能となる。
【００３５】
したがって第２実施形態においては、ステー１００と第２レンズ３４との間に、螺子部材１１０の押圧方向と逆方向に第２レンズ３４を付勢する板バネ１２０が設けられているという構成を採用することによって、第２レンズ３４に対して押圧方向と逆方向に付勢力が加わり、第２レンズ３４の副走査方向両側の変形を調整することができ、より走査線のリニアリティを微調整できる効果がある。
【００３６】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００３７】
例えば、本実施形態において、ステー１００の回転軸部１０１は、外周が円形状を有するものに限定されるものではなく、外周が多角形状等であっても良い。
【００３８】
また、上記実施形態において、螺子部材１１０は、ステー１００の中央部を押圧、あるいは中央部に取り付けられると説明したが、押圧する位置あるいは取り付けられる位置は当該構成に限定されるものではない。
例えば、第２レンズ３４の光学特性を微調整するために、ステー１００の長さ方向において複数箇所から螺子部材１１０で押圧する構成あるいは、ステー１００の長さ方向において複数箇所において螺子部材１１０が取り付けられる構成であっても良い。
【００３９】
また、上記実施形態において、押圧装置は、螺子部材１１０であると説明したが当該構成に限定されるものでは無く、例えば、ピエゾやソレノイド素子を用いる構成であっても良い。
【００４０】
また、第２実施形態において、付勢装置として板バネ１２０を設けたと説明したが、押圧方向と逆側にも螺子部材１１０を設けて、両者の螺入量を調節することによって、第２レンズ３４の変形を調整する構成であっても良い。また、板バネ１２０の代わりに、他の種類のバネあるいはゴム等の弾性部材を設ける構成であっても良い。また、第１実施形態においても、ステー１００に該付勢装置を取り付ける構成であっても良い。
【図面の簡単な説明】
【００４１】
【図１】本発明の第１実施形態における複写機の構成を示す概略図である。
【図２】本発明の第１実施形態における画像形成部の構成を示す概略図である。
【図３】本発明の第１実施形態におけるレーザスキャニングユニットの斜視図である。
【図４】本発明の第１実施形態におけるレーザスキャニングユニットの斜視図である。
【図５】図４におけるレーザスキャニングユニットの線視Ｘ−Ｘ斜視断面図である。
【図６】本発明の第１実施形態におけるレーザスキャニングユニットの断面図である。
【図７】本発明の第１実施形態における第２レンズが設けられるステーを示す斜視図である。
【図８】本発明の第２実施形態におけるステー１００の構成を説明する図である。
【符号の説明】
【００４２】
Ｐ…複写機（画像形成装置）、１０…感光体、３０…レーザスキャニングユニット（走査光学装置）、３４…第２レンズ（光学素子）、３９…筐体、３９Ｂ…下部筐体（筐体）、１００…ステー、１０１…回転軸部、１１０…螺子部材（押圧装置）、１２０…板バネ（付勢装置）
【図１】
2009300774.tif 000003
【図２】
2009300774.tif 000004
【図３】
2009300774.tif 000005
【図４】
2009300774.tif 000006
【図５】
2009300774.tif 000007
【図６】
2009300774.tif 000008
【図７】
2009300774.tif 000009
【図８】
2009300774.tif 000010